(57)【要約】【課題】プレートの汚れが付き難く、安全かつ耐久性に優れた電磁誘導式加熱調理器を提供する。【解決手段】少なくとも凸部１ｂ以外の部分で、トッププレート１の上面にフッ素樹脂１ｅのコーティングを設ける。フッ素樹脂１ｅを施していないトッププレート１の凸部１ｂで鍋５２の底部を受けるので、鍋５２のすべりを防止して安全性を高めることができると共に、フッ素樹脂１ｅに鍋５２の底部が当接せず、フッ素樹脂１ｅの摩擦による傷付きを防止して、その耐久性を高めることができる。【選択図】    図４
2004214080.tif 000002
【特許請求の範囲】
【請求項１】
容器と、容器を載置するプレートと、加熱する加熱手段とからなる電磁誘導式加熱調理器において、前記プレートに凸部を設け、前記加熱手段に対向して表面にコーティング層を設けたことを特徴とする電磁誘導式加熱調理器。
【請求項２】
容器と、前記容器を電磁誘導加熱する加熱手段とからなる電磁誘導式加熱調理器において、加熱出力の大きさに応じて音量を変化させる信号発生手段を有することを特徴とする電磁誘導式加熱調理器。
【請求項３】
前記信号発生手段は、時間を制御するタイマー手段に連動するものであることを特徴とする請求項２に記載の電磁誘導式加熱調理器。
【請求項４】
出力音量を可変する可変手段と、任意に音信号を発生または停止できる切替手段とを備えたことを特徴とする請求項２に記載の電磁誘導式加熱調理器。
【請求項５】
容器と、前記容器を載置するプレートと、前記容器を加熱する加熱手段と、前記プレートと略面一に設けられる検知手段とを有し、該検知手段は板体を備えて構成され、該板体は弾性部材で押圧されることを特徴とする電磁誘導式加熱調理器。
【発明の詳細な説明】
【０００１】
【発明の属する技術分野】
本発明は、一般家庭において煮物や炒め物の調理に使用される電磁誘導式加熱調理器に関する。
【０００２】
【発明が解決しようとする課題】
従来、この種の電磁誘導式加熱調理器は、例えば特許文献１に開示されるように、プレートであるトッププレートの上面に容器を載置して電磁誘導加熱を行なうものであり、このトッププレートはセラミックスまたは耐熱性結晶化ガラスが使用されていることから、汚れが付着し難く、清掃性がよいと言われていた。
【０００３】
【技術文献】
特開２００１−１９０４１８
【０００４】
【発明が解決しようとする課題】
しかし、煮汁の吹きこぼれや油汚れのついた状態で加熱調理器を使用し続けると高温に晒され、汚れのこびりつきがひどくなって、研磨剤などを使用しないと汚れを落とすことは困難であった。このような事態を改善するため、フッ素樹脂をトッププレート表面にコーティングした商品も提案されているが、フッ素樹脂は磨耗に弱く、またトッププレートとの密着もよくないため、使用により摩滅したり傷が付いたり、あるいは剥がれてしまうという問題があった。さらに、フッ素樹脂の表面は滑り性がよく低摩擦であることから、予期しないときに鍋や、やかんが滑ってしまうことも少なくなかった。
【０００５】
また一般に、この種の加熱調理器は、石油や都市ガスを燃料とする調理器とは異なり、視覚によって炎を認識できないことから、ＬＥＤやＬＣＤ等の表示器により火力を表示していた。しかし、ＬＥＤやＬＣＤ等の表示器では、視覚障害者など目の不自由な人に対する障壁が高く、その対策として火力設定時に最大火力のポイントで音信号を発生し、その後は調節釦の操作回数によって使用者が火力の程度を判断する方法が採られていた。しかし、視覚障害者にとっては依然として操作性が悪く、安心して火力の調整をすることは困難であった。また、調理器の使用途中での状況確認は、調節釦を操作しない限り不可能であり、かねてより操作性向上の改善が望まれていた。
【０００６】
しかも電磁誘導式の加熱調理器は、ガス調理器のように燃焼音がするわけではなく、極めて音静かに加熱が行われることから、たとえ健常者であっても、うっかりして吹きこぼれを生じさせてしまったり、揚げ物の調理に際しては、過熱により油に引火する虞れもあった。
【０００７】
さらに従来の電磁誘導式加熱調理器は、例えば図１４及び図１５に示すように、容器である鍋５２を調理器本体５１のトッププレート１上に載置し、調理器本体５１の内部に設けられた加熱コイル３に高周波電流を通電することにより、鍋５２の外底面に設けた磁性材料からなる発熱層（図示せず）に渦電流を発生させて調理対象物を加熱するようになっている。また、従来の温度検知手段は、温度センサとしてのリード線付きサーミスタ２を接着剤等を用いて感熱板７と一体化した後、これらをばね１０によりトッププレート１の裏面に接触させて取付ける構成を採用しており、実際にはトッププレート１を介して天ぷら油などの温度を間接的に把握し制御している。
【０００８】
そのため、鍋５２の底部が反っていたり、鍋５２の材質が違う場合はもとより、油の量の多寡によっても検出温度にバラツキを生じていた。極端な場合、天ぷらの調理に不向きなだけでなく、油温が上がり過ぎるという不都合もあり、使用に当たっては、特定の鍋と油の量を規定せざるを得なかったり、温度上昇の状態を細かく監視して入力電力を状況に応じて可変にしたり、加熱を開始してからの積算電力と積算電力に応じたサーミスタ２の温度検出状態で鍋５２の状況を推定し、入力制御を行うなどの方法を採っていた。その結果、空焼きでないにもかかわらず空焼きと判断してしまったり、沸騰していないにもかかわらず沸騰と判断して、入力をダウンさせてしまうなどの不具合があった。そのうえ、正確な制御をするには、制御プログラムが非常に複雑になり、プログラム開発やデバック確認に多大な時間を必要とし、経費がかかり過ぎて不経済であるという問題があった。特に鍋５２の底部が変形していたり、反りの大きい鍋５２については、空焼きや鍋５２の温度を正確に検知することは困難であった。
【０００９】
また、感熱板７付きのサーミスタ２をトッププレート１の外面まで貫通して上下可動式に取付け、鍋５２の底部の温度を直接検知するタイプもあるが、その場合は温度は正確に検知できるものの、感熱板７周囲の防水構造が複雑になり、トッププレート１の表面に感熱板７が突出することから、清掃性に難があるなどの問題があった。
【００１０】
本発明は、かかる事情を考慮してなされたものであり、プレートの汚れが付き難く、安全かつ耐久性に優れた電磁誘導式加熱調理器を提供することを第１の目的とする。
【００１１】
また本発明は、たとえ目の不自由な人であっても安心して火力調節が可能で、使用中においても火力の状況が常に認識できる電磁誘導式加熱調理器を提供することを第２の目的とする。
【００１２】
さらに本発明は、容器の温度検知が正確でプレートの清掃性がよい電磁誘導式加熱調理器を提供することを第３の目的とする。
【００１３】
【課題を解決するための手段】
本発明の請求項１の電磁誘導式加熱調理器は、上記第１の目的を達成するためになされたもので、この場合はプレートの表面にコーティング層を設けることで、少なくとも凸部以外の部分で、トップコートに汚れがつきにくくなり、かつ汚れが付着してもコーティング層の非粘着効果で簡単に汚れを吹き落とすことができる。また、コーティング層を施していないプレートの凸部で容器の底部を受けるので、容器のすべりを防止して安全性を高めることができると共に、コーティング層に容器の底部が当接せず、コーティング層の摩擦による傷付きを防止して、その耐久性を高めることができる。しかも、加熱手段に対向してコーティング層を設けているので、最もこびりつきやすい加熱手段の対向部分のこびりつきを、コーティング層で落としやすくすることができる。
【００１４】
本発明の請求項２の電磁誘導式加熱調理器は、上記第２の目的を達成するためになされたもので、この場合は加熱中であることを信号発生手段からの音信号で知らせると共に、この音信号の音量が加熱出力の大きさに応じて変化することから、たとえ目の不自由な人であっても、音の大きさをバロメータにして安心して火力調節が可能になると共に、使用中においても火力の状況が常に認識できる。
また健常者であっても、例えば調理中に掛かってきた電話などにより、調理中であることをうっかり忘れても、この音信号を利用することで加熱調理器が使用中であることを正しく認識できる。
【００１５】
本発明の請求項３の電磁誘導式加熱調理器は、信号発生手段が調理時間を自動制御するタイマー手段に連動しており、タイマー手段で設定された調理時間中にのみ、信号発生手段が音信号を出力するので、調理が終了したことも容易に認識することができる。
【００１６】
本発明の請求項４の電磁誘導式加熱調理器では、好みに応じて信号発生手段からの音量を可変手段で任意に変えることができる。また音信号を発生させる必要のない場合には、切替手段を操作して音信号の発生を止めることもでき、音報知に関して使用者の使い勝手を向上させることができる。
【００１７】
本発明の請求項５の電磁誘導式加熱調理器は、上記第３の目的を達成するためになされたもので、このようにすれば容器の底部が直接板体に接触しない場合でも、容器の底部から板体に輻射熱が直接放射されると共に、容器の底部外周部と接触しているプレートから、このプレートと密着する板体に熱が流れ、検知素子は容器の温度を正確に検知できる。また板体の上面がプレートの上面と略面一に設けられているので、プレートの上面を拭く際に感熱板が邪魔にならず、プレートの清掃性がよい。
【００１８】
【発明の実施形態】
以下、添付図面に基づき、本発明における好ましい電磁誘導式加熱調理器の各実施例を説明する。なお、従来例と同一部分には同一符号を付し、共通する箇所の説明は重複するため省略する。
【００１９】
図１〜図９は本発明の第１実施例を示すもので、加熱調理器の全体構成を図５に基づき説明すると、調理器本体５１は、その上面に鍋５２が載置されるトッププレート１を有しており、調理器本体５１の内部には環状の加熱コイル３が前記トッププレート１の下面に対向して配置されると共に、鍋５２を電磁誘導過熱する加熱コイル３の下方には、防磁用のフィライト板１１が配置されている。加熱手段である加熱コイル３の中央で、かつトッププレート１の内面には、温度検知手段としてのサーミスタ２が取付けられている。
【００２０】
調理器本体５１の内部には、さらに加熱コイル３に高周波電圧を印加するインバータ装置４と制御装置５とが設けられている。制御装置５は、例えばマイクロコンピュータ等からなり、前記サーミスタ２からの検出温度に基づき、タイマー手段１２と協働して前記インバータ装置４を駆動して鍋５２を加熱する加熱制御手段２６と温度制御手段２７を有している。ここで、加熱制御手段２６は、例えばタイマー１２により設定された時間が経過すると、インバータ装置４ひいては加熱コイル３の駆動をオフにする等の制御を行なうものであり、温度制御手段２７は、温度検知手段としてのサーミスタ２からの出力を受けて被加熱物を収容した鍋５２の温度を設定温度に保持する等の制御を行うものである。また、制御装置５には、火力調節手段に任意に連動でき、加熱出力の大きさに応じて音量が変化するブザーなどの音信号発生手段２４と、切替装置１３により音信号発生手段２４の出力音量を可変し、かつ任意に音信号を発生または停止させる音信号音量可変手段２５が設けられている。
【００２１】
調理器本体５１の外部には、図６に示す操作表示パネル１４が設けられている。この操作表示パネル１４には操作手段として、調理を開始するための加熱キー１５と、調理器本体５１への通電をオフするための切キー１６と、特に揚げ物に適した温度に設定して加熱を行う揚げ物キー１７と、調理タイマー（調理時間）設定用の時キー１８および分キー１９と、調理タイマーの設定を取消すためのタイマー取消キー２０と、加熱出力を可変調節するための火加減設定用の弱キー２１および強キー２２を備えていると共に、これらのキー操作に基づいて設定された条件ならびに状況を表示する表示手段としてのＬＣＤ２３を備えている。さらに前記操作手段としては、切替装置としての音キー１３ａと、音量可変手段としての大キー１３ｂおよび小キー１３ｃがそれぞれ配置されている。なお、実際の操作表示パネル１４の各操作キーについては、視覚障害者でもその意味を認識できるように、各操作キーの表面に点字を付すのが好ましい。
【００２２】
ここで、トッププレート１の構成を図１〜図４に基づき説明する。図１及び図２の実施例においては、トッププレート１の表面に放射状に８本の凸部１ｂが形成されている。この凸部１ｂ以外の平坦部は凸部１ｂよりも０．１ｍｍ〜０．５ｍｍ程度低い凹部１ｄを形成している。放射状の凸部１ｂ以外の部分、即ち凹部１ｄには耐熱性を有するフッ素樹脂１ｅがコーティングされ、鍋５２を受ける凸部１ｂの上面はフッ素樹脂１ｅのコーティング上面よりも高く露出している。
【００２３】
凸部１ｂと凹部１ｄの段差を０．１ｍｍ〜０．５ｍｍとしたのは、段差が０．１ｍｍよりも少ないと、使用中にフッ素樹脂１ｅが鍋５２の底部と接触する機会が多くなり、摩擦等によりフッ素樹脂１ｅのコーティングが傷付き易くなるし、一方、段差が０．５ｍｍより大きいと、トッププレート１の製造が困難になるうえ、凸部１ｂと凹部１ｄの周縁部に汚れが溜まり易くなって清掃がし難くなる等の問題がある。さらに加熱コイル３による鍋５２への電磁誘導加熱は、負荷である鍋５２と加熱コイル３との距離にある程度の制限があり、凸部１ｂと凹部１ｄの段差があまり大きいと加熱機能に支障が生じる。そこで、凸部１ｂと凹部１ｄの段差は上記した値が選定されている。なお、凸部１ｂの幅は調理中などにおいて鍋５２をがたつきなく保持できればよく、任意の幅でよいが、通常は数ｍｍ程度の値が選択される。あまり幅が広いと後述する本発明の効果が減じてしまうからである。
【００２４】
また、図３は略円環状の形状のうち、９０度おきに数ｍｍの幅１ｃを残して４ケ所に深さ０．５ｍｍ程度の凹部１ｄを形成し、該凹部１ｄにフッ素樹脂１ｅをコーティングした実施例を示している。この場合も、鍋５２を受ける凸部１ｂの上面はフッ素樹脂１ｅのコーティング上面よりも高く露出している。
【００２５】
そして上記構成において、通常は鍋５２の底部を受けるトッププレート１の受け面は、意図的に形成した凸部１ｂの頂点となるので、凹部１ｄに設けたフッ素樹脂１ｅに鍋５２の底部は当接せず、この鍋５２の底部による摩擦を受けない。そのため、通常の使用時において、鍋５２の底部の摩擦でフッ素樹脂１ｅに傷がつくことがない。また、加熱コイル３の対向部分に凹部１ｄを形成し、ここにフッ素樹脂１ｅのコーティングを施すことで、最もこびりつきやすい部分のこびりつきを落としやすくすることができる。
【００２６】
ところで図４に示すように、加熱調理器使用時のトッププレート１の温度上昇は、鍋５２の底部に接した部分と加熱コイル３に対向した部分が最も大きいので、そこに最もひどい汚れのこびりつきが生じることになる。また、鍋５２の底部に接した凸部１ｂは、鍋５２の底部との摩擦と高温に晒されるので、そこにフッ素樹脂をコーティングしても痛み易い。したがって、当該部には当初からフッ素樹脂のコーティングを施さないようにすることで、フッ素樹脂のコーティング全体に摩擦傷に起因するダメージが伝播することを防ぐことができる。凸部１ｂの汚れについては、研磨剤等を用いて清掃しても従来より少ない面積であることから、短時間で清掃を行うことができる。また、このような構成にすることにより、トッププレート１と鍋５２の底部との間の摩擦抵抗は従来同様の値を確保することができる。したがって、フッ素樹脂１ｅを施していない凸部１ｂと鍋５２の底部との摩擦により、鍋５２がトッププレート１上から滑落するという虞れはない。
【００２７】
なお、凸部１ｂの形状や個数、配置については上記した実施例に限定されるものではなく、デザイン性を考慮して他に種々のパターンを施すことができる。すなわち凸部１ｂとしての機能だけに着目するのではなく、デザイン性にも工夫を施すこともできる。
【００２８】
次に、上記構成について、その作用を図７のフローチャートに基づいて説明する。先ず、鍋５２をトッププレート１に載置した状態で、加熱キー１５あるいは揚げ物キー１７が押されると、加熱コイル３により鍋５２の外底面に設けた発熱層（図示せず）を電磁誘導加熱する加熱制御が開始される（ステップＳ１）。音信号音量可変手段２５は、次のステップＳ２において、音キー１３ａがオンされているか否か判断し、音キー１３ａがオンされていない場合には調理終了まで音信号発生手段２４を鳴らすことなく調理を完了する。一方、音キー１３ａがオンされていた場合には、予め設定された初期音量で音信号発生手段２４を動作させる（ステップＳ３）。その後、状況に応じて音信号発生手段２４の音量を調節することができ、その場合には大キー１３ｂや小キー１３ｃの操作で行うことが可能である。例えば、大キー１３ｂを押せば、音信号発生手段２４であるブザーＢＺの音量をアップすることができるし（ステップＳ４，Ｓ５）、逆に音量が大き過ぎると思えば、小キー１３ｃを押すことにより、ブザーＢＺの音量をダウンすることができる（ステップＳ６，Ｓ７）。
【００２９】
また音信号音量可変手段２５は、調理タイマー設定用のタイマー時キー１８、分キー１９が設定すなわちセットされているか否か判断し（ステップＳ８）、セットされていたならばタイマー時間の終了で、音信号発生手段２４の鳴動をオフし（ステップＳ９）、加熱コイル３を断電して鍋５２への加熱も停止する（ステップＳ１０）。また、加熱中であっても音キー１３ａが押され、音信号の発生が切になれば音信号発生手段２４の鳴動を停止し、入になれば音信号発生手段２４の鳴動をオンにすることができる。
【００３０】
次に、火力の大きさに連動した音量調節について、図８に示すフローチャート及び火力と音量の関係を示すグラフである図９に基づいて説明する。加熱キー１５あるいは揚げ物キー１７が押されると前述のように鍋５２に対する加熱制御を開始し（ステップＳ１１）するが、その後で音信号音量可変手段２５は、切替装置１３により火加減調節が行われたか否か判断する（ステップＳ１２）。すなわち加熱調理時の初期には、火加減設定用の弱キー２１や強キー２２が操作されるが、その場合に初期音量にて音信号発生手段２４であるブザーＢＺを鳴らす（ステップＳ１３）。
【００３１】
次に、火加減設定用の強キー２２若しくは弱キー２１のいずれが操作されたか判断する（ステップＳ１４，Ｓ１６）。強キー２２が押されればブザーＢＺの音量をアップし（ステップＳ１５）、弱キー２１が押されればブザーＢＺの音量をダウンする（ステップＳ１７）。そして、調理タイマー１８，１９により設定時間が経過したか否か判断し（ステップＳ１８）、設定時間の終了とともに切にしてブザーをオフにし（ステップＳ１９，Ｓ２０）、加熱も停止する（ステップＳ２１）。このように音量可変を火力の大きさに連動させることで、目の不自由な人でも音の大きさを頼りにして簡単にしかも安心して火力調節を行うことができる。図９は、設定される火力（この場合は５段階）と音量の関係についての設定例を示すものである。この例では火力と音量の関係を離散的に設定しているが、火力と音量の関係を連続的に設定してもよい。要するに火力の強弱を音量の大小によって認識できればよい。
【００３２】
以上のように本実施例では、容器である鍋５２と、鍋５２を載置するセラミックまたは耐熱ガラスなどのプレートに相当するトッププレート１と、鍋５２を電磁誘導過熱する加熱手段としての加熱コイル３とからなる電磁誘導式加熱調理器において、トッププレート１の上面に凸部１ｂを設け、加熱コイル３に対向して、トッププレート１の凸部１ｂを除く平坦面としての表面にフッ素樹脂１ｅなどのコーティング層たるコーティングを設けている。
【００３３】
このように、トッププレート１の上面にフッ素樹脂１ｅのコーティングを設けることで、少なくとも凸部１ｂ以外の部分で、トップコート１に汚れがつきにくくなり、かつ汚れが付着してもフッ素樹脂１ｅの非粘着効果で簡単に汚れを吹き落とすことができる。また、フッ素樹脂１ｅを施していないトッププレート１の凸部１ｂで鍋５２の底部を受けるので、鍋５２のすべりを防止して安全性を高めることができると共に、フッ素樹脂１ｅに鍋５２の底部が当接せず、フッ素樹脂１ｅの摩擦による傷付きを防止して、その耐久性を高めることができる。さらに、フッ素樹脂１ｅを施していないトッププレート１の凸部１ｂの面積を、フッ素樹脂１ｅの施した部分の面積よりも極めて小さくすれば、その分だけ清掃も簡単になる。
【００３４】
しかも本実施例では、加熱コイル３の対向面にのみフッ素樹脂１ｅのコーティングを設けているので、最もこびりつきやすい加熱コイル３の対向部分のこびりつきを、フッ素樹脂１ｅのコーティングで落としやすくすることができる。
【００３５】
また本実施例は、容器である鍋５２と、鍋５２を電磁誘導加熱する加熱コイル３とからなる電磁誘導式加熱調理器において、加熱出力の大きさに応じて音量を変化させる信号発生手段としての音信号発生手段２４を備えている。
【００３６】
この場合、加熱中であることを音信号発生手段２４からの音信号で知らせると共に、この音信号の音量が加熱出力の大きさに応じて変化することから、たとえ目の不自由な人であっても、音の大きさをバロメータにして安心して火力調節が可能になると共に、使用中においても火力の状況が常に認識できる。また健常者であっても、例えば調理中に掛かってきた電話などにより、調理中であることをうっかり忘れても、この音信号を利用することで加熱調理器が使用中であることを正しく認識できる。
【００３７】
また、この場合の音信号発生手段２４は、調理時間などの時間を自動制御するタイマー手段１２に連動している。そのようにすると、タイマー手段１２で設定された調理時間中にのみ、音信号発生手段２４が音信号を出力するので、調理が終了したことも容易に認識することができる。
【００３８】
さらに本実施例では、出力音量を可変する可変手段としての大キー１３ｂおよび小キー１３ｃと、任意に音信号を発生または停止できる切替手段としての音キー１３ａとをそれぞれ備えている。このようにすれば、好みに応じて音信号発生手段２４からの音量を大キー１３ｂや小キー１３ｃで任意に変えることができる。また音信号を発生させる必要のない場合には、音キー１３ａを操作して音信号の発生を止めることもでき、音報知に関して使用者の使い勝手を向上させることができる。
【００３９】
次に、本発明の第２実施例を図１０〜図１３に基づき説明する。なお、上記第１実施例と同一部分には同一符号を付し、その共通する箇所の説明は重複するため省略する。
【００４０】
要部の断面図である図１０において、ここではトッププレート１の略中央部に貫通穴１ａを設け、この貫通穴該穴１ａに温度検知手段の一要素である感熱板７の凸部７ａを挿入する。ここで、先ず温度検知手段の構成について説明する。温度検知手段の感熱部は、アルミニュウム材料で製作された中央に凸部７ａを有する感熱板７であり、凸部７ａの裏面から凸部７ａの外径よりやや小さい径の穴７ｃが設けられ、この穴７ｃは凸部７ａの上面に貫通することなく設けられている。そして、穴７ｃには温度センサとしてのサーミスタ２が上面に当接して挿入され、熱伝導性が良好なグリース又はシリコーンゴム等などの伝熱材料９を用いて固着される。このようにするのは、感熱板７とサーミスタ２との間に温度勾配が生じないようにするためである。
【００４１】
感熱板７の外周上面に設けられた環状溝７ｂには、耐熱性に優れたシールパッキン８が挿入される。さらに、感熱板７全体をトッププレート１側に押圧固定するために、コイルベースの役目を果たすフェライト板１１と感熱板７の下面との間に弾性部材であるスプリング１０が挿入される。このような構成により、トッププレート１と感熱板７との間を水密構造にすることができる。また、感熱板７の中央部に設ける凸部７ａの高さはトッププレート１の板厚とほぼ同一寸法に製作される。このような寸法とすることにより、凸部７ａをトッププレート１の穴１ａに挿入した後はトッププレート１の上面と感熱板７の凸部上面を面一にすることができ、トッププレート１の清掃性は格段に向上することになる。なお、温度検知素子としてのサーミスタ２には正特性を有するものを用いるのが好ましい。また、感熱板７には陽極酸化皮膜処理が施される。この処理を施すことにより、軟らかいアルミ材料であっても表面硬度が上がり、外傷が付きにくくなるし、耐食性も向上することから、長期間安定した性能を発揮できる。
【００４２】
次に図１１〜図１３に基づいて、本実施例の温度検知特性について説明する。
図１１は、トッププレート１に組み込まれた感熱板７への熱の流れを示す関連部分の断面図である。加熱コイル３に高周波電圧が印加されると、電磁誘導により鍋５２の発熱層（図示せず）に渦電流が流れ、鍋５２内の被加熱物が加熱される。ここで鍋５２の底部が平坦である場合には、この鍋５２の底部と温度検知手段である感熱板７が直接接触することになる。したがって、鍋５２の熱は感熱板７を経由してサーミスタ２に伝わり、高精度かつ応答性よく温度検出されることになる。
【００４３】
一方、図１１に示すように鍋５２の底部中央が反っており、鍋５２の底部が直接感熱板７に接触しない場合もある。しかし、このような場合であっても、図１１の矢印Ｈに示すように、鍋５２の底部から感熱板７に輻射熱が直接放射されることになるし、鍋５２の底部外周部と接触しているトッププレート１から、このトッププレート１と密着する感熱板７に熱が流れる。
【００４４】
このように、感熱板７はその表面を鍋５２に対して直接対面する位置に露出しているので、鍋５２の底部中央が反っていて、鍋５２の底部と感熱板７が直接接触していなくても、鍋５２からの輻射熱を直接受けて鋭敏に鍋５２の温度を検知できる。さらにシールパッキン８を設けた感熱板７のフランジ部が、トッププレート１の下面に密着して取り付けられるので、トッププレート１からの熱伝導も同時に受けることになり、安定した温度検知が可能になる。
【００４５】
また、温度検出手段を構成する感熱板７がトッププレート１の表面から飛出さないので、トッププレート１の表面が平坦で清掃性に優れる。さらに、シールパッキン８を介在させて感熱板７をトッププレート１に水密に固定したので、水の侵入を考慮した内部構造、例えば電子部品の防水や侵入した水の排出経路を設ける必要がなく、内部構造を簡単にして製造コストの削減を図ることができる。
【００４６】
図１２は、時間経過に対するサーミスタ２の検出温度の関係を示したものである。同図において、Ｔ０は鍋５２内の実際の水温で、その他Ｔ１は感熱板７がトッププレート１の下面にある従来例（図１４参照）の温度−時間特性，Ｔ２は本実施例における鍋５２の底部が感熱板７に接触した状態の温度−時間特性，Ｔ３は本実施例における鍋５２の底部が感熱板７に接触していない状態の温度−時間特性である。本実施例において、鍋５２の底部が感熱板７に接触している場合は、鍋５２内の水とほぼ同じ時間に、サーミスタ２が沸騰温度を検出し、検出温度の応答遅れは殆どない。また、感熱板７が鍋５２の底部と非接触の場合であっても、鍋５２内の水が沸騰温度に達してからサーミスタ２が沸騰温度を検出するまでの応答遅れ時間ｔｘは、従来例の応答遅れ時間ｔｙよりもはるかに短くなる。
【００４７】
また図１３は、鍋５２に水を注入することなく、いわゆる空焼きした場合の温度特性を示したものである。これもＴ１は感熱板７がトッププレート１の下面にある従来例の温度−時間特性，Ｔ２は本実施例における鍋５２の底部が感熱板７に接触した状態の温度−時間特性，Ｔ３は本実施例における鍋５２の底部が感熱板７に接触していない状態の温度−時間特性である。さらにｔは空炊き検知温度で、サーミスタ２の検知温度が空炊き検知温度ｔに達すると、加熱コイル３への通電を強制的に停止する。この場合、同一の空炊き検出温度ｔであっても、本発明の加熱調理器は、鍋５２の実際の温度が従来例に比較するとΔｔだけ低い状態で空炊きを検出できることが理解できる。
【００４８】
上記図１３および図１４の結果からも明らかなように、本実施例の加熱調理器は、従来例に比べるとサーミスタ２の温度勾配が急で、沸騰状態や空焼き状態を早期に検出できるようになる。また、従来、温度上昇を把握するために行っていた複雑な判断が不必要になることから、制御プログラムもシンプルになり、誤動作や誤判定の少ない加熱調理器を提供することが可能になる。さらに、制御プログラムの開発やデバック作業もプログラムがシンプルなことから、短時間に済ませることができ、開発コストの低減を図ることもできる。
【００４９】
以上のように本実施例では、容器である鍋５２と、鍋５２を載置するプレートとしてのトッププレート１と、鍋５２を電磁誘導加熱する加熱手段としての加熱コイル３と、トッププレート１と面一に設けられ、鍋５２の温度を検出する検地手段としての温度検知手段とを有し、この温度検知手段は熱伝導性の良好な板体としての感熱板７に温度検知素子であるサーミスタ２を備えて構成され、感熱板７はトッププレート１にシール材であるシールパッキン８を介して弾性部材であるスプリング１０により押圧固定されている。
【００５０】
このようにすれば、鍋５２の底部が直接感熱板７に接触しない場合でも、鍋５２の底部から感熱板７に輻射熱が直接放射されると共に、鍋５２の底部外周部と接触しているトッププレート１から、このトッププレート１と密着する感熱板７に熱が流れ、サーミスタ２は鍋５２の温度を正確に検知できる。また感熱板７の上面がトッププレート１の上面と略面一に設けられているので、トッププレート１の上面を拭く際に感熱板７が邪魔にならず、トッププレート１の清掃性がよい。
【００５１】
本発明は上記実施例に限定されるものではなく、本発明の要旨の範囲において種々の変形実施が可能である。例えば、上記感熱板７はアルミニュームに限らず、銅などの良熱伝導材料を用いてもよい。
【００５２】
【発明の効果】
本発明の請求項１の電磁誘導式加熱調理器によれば、プレートの汚れが付き難く、プレートを安全かつ耐久性に優れたものとすることができる。また最もこびりつきやすい部分のこびりつきを、コーティング層で落としやすくすることができる。
【００５３】
本発明の請求項２の電磁誘導式加熱調理器によれば、たとえ目の不自由な人であっても、火力調節が可能になると共に、使用中においても火力の状況が常に認識できる。また健常者であっても、加熱中であることをうっかり忘れるのを防止することができる。
【００５４】
本発明の請求項３の電磁誘導式加熱調理器によれば、調理が終了したことも容易に認識することができる。
【００５５】
本発明の請求項４の電磁誘導式加熱調理器によれば、調理器使用中に火力を調節した場合においても、音報知に関して使用者の使い勝手を向上させることができる。
【００５６】
本発明の請求項５の電磁誘導式加熱調理器によれば、容器の温度検知が正確でプレートの清掃性を向上させることができる。
【図面の簡単な説明】
【図１】本発明による電磁誘導式加熱調理器の第１実施例であるトッププレートを示す平面図である
【図２】図１のａ−ａ矢視図である。
【図３】本発明による電磁誘導式加熱調理器の別の変形例であるトッププレートを示す平面図である。
【図４】本発明による電磁誘導式加熱調理器のさらに別の変形例であるトッププレートの要部を示す断面図である。
【図５】本発明による電磁誘導式加熱調理器の第１実施例を示す全体構成図である
【図６】同上操作表示パネルの正面図である。
【図７】同上主に音量制御手段の動作手順を示したフローチャートである。
【図８】同上主に音量制御手段の動作手順を示したフローチャートである。
【図９】同上設定した火力と音量の関係を示すグラフである。
【図１０】本発明による電磁誘導式加熱調理器の第２実施例である温度検知手段周辺の構成を示す断面図である。
【図１１】同上温度検知手段への熱の流れを説明する要部の断面図である。
【図１２】同上従来例と比較したサーミスタの温度検出特性を示す図である。
【図１３】同上従来例と比較したサーミスタの温度検出特性を示す図である。
【図１４】従来例を示す電磁誘導式加熱調理器の全体断面図である。
【図１５】従来例を示す要部の拡大断面図である。
【符号の説明】
１  トッププレート（プレート）
１ｂ  凸部
１ｅ  フッ素樹脂（コーティング層）
３  加熱コイル（加熱手段）
７  感熱板
８  シールパッキン（シール材）
１０  スプリング（弾性部材）
１２  タイマー手段
１３ａ  音キー（可変手段）
１３ｂ  大キー（切替手段）
１３ｃ  小キー（切替手段）
２４  音信号発生手段（信号発生手段）
５２  鍋（容器）
【図１】
2004214080.tif 000003
【図２】
2004214080.tif 000004
【図３】
2004214080.tif 000005
【図４】
2004214080.tif 000006
【図５】
2004214080.tif 000007
【図６】
2004214080.tif 000008
【図７】
2004214080.tif 000009
【図８】
2004214080.tif 000010
【図９】
2004214080.tif 000011
【図１０】
2004214080.tif 000012
【図１１】
2004214080.tif 000013
【図１２】
2004214080.tif 000014
【図１３】
2004214080.tif 000015
【図１４】
2004214080.tif 000016
【図１５】
2004214080.tif 000017